(57)【要約】【課題】  巻上機を据え付ける際の作業スペースを小さくすることができ、昇降路内の障害物に干渉されることがない巻上機据付設備を提供すること。【解決手段】  エレベータの昇降路１５の頂部付近において固定された巻上機据付台１０ａに巻上機１０を据え付ける巻上機据付設備は、巻上機１０を持ち上げる持ち上げ機構２０を備えている。この持ち上げ機構２０は、昇降路１５内に支持されており、巻上機据付台１０ａより低いレベルの位置において巻上機１０を載置して、この巻上機１０を巻上機据付台１０ａと同じレベルの高さとなるよう垂直方向上方に持ち上げる。また、巻上機据付設備には、持ち上げ機構２０により持ち上げられて巻上機据付台１０ａと同じレベルの高さとなった巻上機１０を水平移動させて巻上機据付台１０ａの上に設置する水平移動機構３０が設けられている。【選択図】  図１
2006027749.tif 000002
【特許請求の範囲】
【請求項１】
エレベータの昇降路の頂部付近において固定された巻上機据付台に巻上機を据え付ける巻上機据付設備において、
前記昇降路内に支持され、前記巻上機据付台より低いレベルの位置において前記巻上機を載置して、この巻上機を前記巻上機据付台と同じレベルの高さとなるよう垂直方向上方に持ち上げる持ち上げ機構と、
前記持ち上げ機構により持ち上げられて前記巻上機据付台と同じレベルの高さとなった前記巻上機を水平移動させて前記巻上機据付台の上に設置する水平移動機構と、
を備えたことを特徴とする巻上機据付設備。
【請求項２】
前記持ち上げ機構は、一端が前記巻上機据付台に回動自在に取り付けられ、他端には前記昇降路に固定された揚重機が係合する揚重フックが設けられていることを特徴とする請求項１記載の巻上機据付設備。
【請求項３】
前記水平移動機構は、前記持ち上げ機構上に設置され、前記巻上機を保持する巻上機台車からなることを特徴とする請求項１または２記載の巻上機据付設備。
【請求項４】
エレベータの昇降路の頂部付近において固定された巻上機据付台に巻上機を据え付ける巻上機据付設備において、
前記昇降路に固定された揚重機が係合する揚重フックを有する持ち上げ構造体と、
前記持ち上げ構造体の一端に設けられ、前記巻上機を載置固定する巻上機載置部と、
前記持ち上げ構造体の他端に設けられ、前記揚重フックに対して前記巻上機載置部と反対側に位置する押圧部と、
前記巻上機載置部上の前記巻上機を水平移動させる水平移動機構と、を備え、
前記持ち上げ構造体が前記揚重フックにおいて前記揚重機に吊り上げられた際に、前記押圧部に対して下方に力を作用させることにより前記巻上機載置部が上方に移動して、前記巻上機載置部が前記巻上機据付台と同じレベルの高さまで達し、前記水平移動機構により前記巻上機載置部上の前記巻上機を前記巻上機据付台側へ水平移動させるようになっていることを特徴とする巻上機据付設備。
【請求項５】
前記持ち上げ構造体の他端の前記押圧部の近傍に、錘を載置する錘載置台が設けられていることを特徴とする請求項４記載の巻上機据付設備。
【請求項６】
前記持ち上げ構造体において、前記揚重フックと前記巻上機載置部との間の距離は、前記揚重フックと前記押圧部との間の距離よりも小さくなっていることを特徴とする請求項４または５記載の巻上機据付設備。
【請求項７】
エレベータの昇降路の頂部付近において固定された巻上機据付台に巻上機を据え付ける巻上機据付設備において、
前記昇降路内に固定され、前記巻上機据付台から下方に傾斜して延びる滑走レールと、
前記巻上機を固定し、前記滑走レール上を走行する巻上機運搬台と、
前記巻上機運搬台に牽引ロープを介して接続され、前記巻上機運搬台を前記滑走レール上で走行させて前記巻上機据付台上まで牽引する牽引装置と、
を備えたことを特徴とする巻上機据付設備。
【発明の詳細な説明】
【技術分野】
【０００１】
本発明は、巻上機をエレベータの昇降路の頂部付近における巻上機据付台に据え付ける巻上機据付設備に関する。
【背景技術】
【０００２】
従来、エレベータの昇降路の頂部付近において固定された巻上機据付台に、巻上機を据え付ける巻上機据付設備が知られている。このような巻上機据付設備は、巻上機据付台の上方における昇降路の天井面に取り付けられ、牽引ロープが掛けられている滑車と、この牽引ロープに接続され、巻上機を固定して運搬する巻上機運搬台と、昇降路の奧側の壁面に設けられ、牽引ロープを牽引する牽引装置とを備えたものが知られている。巻上機運搬台および牽引装置は、滑車に掛けられた牽引ロープを介して接続されている。
【０００３】
このような巻上機据付設備において、まず巻上機据付台より低いレベルの位置において、巻上機が巻上機運搬台に固定される。次に、牽引装置により牽引ロープを下方に牽引することによって、天井面に取り付けられた滑車を介して巻上機運搬台が牽引ロープにより上方に持ち上げられる。
【０００４】
そして、巻上機運搬台が巻上機据付台と同じレベルの高さまで持ち上げられると、この巻上機運搬台は巻上機据付台に取り付けられているフックに回動可能に係止される。最後に巻上機は、巻上機運搬台から取り外されて巻上機据付台上に据え付けられる。
【０００５】
また、巻上機を巻上機据付台に据え付ける他の巻上機据付設備としては、図１０に示すように、垂直方向高さが巻上機８０の高さよりも大きい巻上機運搬台８３を用いたものが知られている。図１０において、巻上機運搬台８３の垂直方向動作を案内するためのガイドレール８４が設けられ、また、牽引ロープ８２ａは巻上機運搬台８３の下端に接続されている。また、滑車８１は、昇降路８５の天井面ではなく、巻上機据付台８０ａよりも低いレベルの高さに設置されている（例えば、特許文献１参照）。
このような巻上機据付設備において、巻上機８０は巻上機運搬台８３の上面に固定され、牽引装置８２によって、この巻上機運搬台８３がガイドレール８４に沿って垂直方向上方に持ち上げられるようになっている。
【０００６】
【特許文献１】特開２０００−３４０７２号公報
【発明の開示】
【発明が解決しようとする課題】
【０００７】
しかしながら、昇降路の天井面に滑車を設置した巻上機据付設備においては、昇降路の天井面と巻上機据付台との間の隙間が十分に確保されていない場合、天井面に滑車を設置するスペースを確保することが困難なことがある。また、巻上機を持ち上げた際に滑車と巻上機運搬台との間の距離を十分に確保することができず、巻上機を巻上機据付台へ据え付ける際に手間がかかることがある。
【０００８】
また、特許文献１に示される巻上機据付設備においては、図１０に示すように、巻上機を据え付ける際に昇降路の奥側であって巻上機据付台の後方下方のスペースを作業スペースとして用いる必要がある。また、このスペースに障害物があった場合には、牽引ロープや牽引装置を設置することが困難となることがある。
【０００９】
本発明は、このような点を考慮してなされたものであり、巻上機を据え付ける際の作業スペースを小さくすることができ、昇降路内の障害物に干渉されることがない巻上機据付設備を提供することを目的とする。
【課題を解決するための手段】
【００１０】
本発明は、エレベータの昇降路の頂部付近において固定された巻上機据付台に巻上機を据え付ける巻上機据付設備において、昇降路内に支持され、巻上機据付台より低いレベルの位置において巻上機を載置して、この巻上機を巻上機据付台と同じレベルの高さとなるよう垂直方向上方に持ち上げる持ち上げ機構と、持ち上げ機構により持ち上げられて巻上機据付台と同じレベルの高さとなった巻上機を水平移動させて巻上機据付台の上に設置する水平移動機構と、を備えたことを特徴とする巻上機据付設備である。
【００１１】
このような巻上機据付設備を用いることにより、巻上機を据え付ける際に巻上機据付台の上方および後方のスペースを作業スペースとして用いる必要がなくなる。このため、巻上機を据え付ける際に必要な作業スペースを小さくすることができ、昇降路内の障害物に干渉されることがない。
【００１２】
この巻上機据付設備においては、持ち上げ機構は、一端が巻上機据付台に回動自在に取り付けられ、他端には昇降路に固定された揚重機が係合する揚重フックが設けられていることが好ましい。
このような巻上機据付設備を用いることにより、持ち上げ機構を昇降路内で容易に水平状態に保つことができる。
【００１３】
また、この巻上機据付設備においては、水平移動機構は、持ち上げ機構上に設置され、巻上機を保持する巻上機台車からなることが好ましい。
このような巻上機据付設備を用いることにより、巻上機が持ち上げ機構により持ち上げられて巻上機据付台と同じレベルの高さとなったときに、この巻上機台車を用いて確実に巻上機を巻上機据付台上に水平移動させることができる。
【００１４】
本発明は、エレベータの昇降路の頂部付近において固定された巻上機据付台に巻上機を据え付ける巻上機据付設備において、昇降路に固定された揚重機が係合する揚重フックを有する持ち上げ構造体と、持ち上げ構造体の一端に設けられ、巻上機を載置固定する巻上機載置部と、持ち上げ構造体の他端に設けられ、揚重フックに対して巻上機載置部と反対側に位置する押圧部と、巻上機載置部上の巻上機を水平移動させる水平移動機構と、を備え、持ち上げ構造体が揚重フックにおいて揚重機に吊り上げられた際に、押圧部に対して下方に力を作用させることにより巻上機載置部が上方に移動して、巻上機載置部が巻上機据付台と同じレベルの高さまで達し、水平移動機構により巻上機載置部上の巻上機を巻上機据付台側へ水平移動させるようになっていることを特徴とする巻上機据付設備である。
【００１５】
このような巻上機据付設備を用いることにより、巻上機を据え付ける際に巻上機据付台の上方および後方のスペースを作業スペースとして用いる必要がなくなる。このため、巻上機を据え付ける際に必要な作業スペースを小さくすることができ、昇降路内の障害物に干渉されることがない。しかも、巻上機の持ち上げ過程における持ち上げ構造体の移動姿勢をある程度自由にすることができる。また、揚重機を用いての作業が１回だけとなるので作業工程数を低減することができる。
【００１６】
この巻上機据付設備においては、持ち上げ構造体の他端の押圧部の近傍に、錘を載置する錘載置台が設けられていることが好ましい。
このような巻上機据付設備を用いることにより、錘載置台に錘を載置することによって、巻上機の重量が相殺されるので、押圧部に対して下方に作用させる力の大きさを低減することができる。
【００１７】
また、この巻上機据付設備においては、持ち上げ構造体において、揚重フックと巻上機載置部との間の距離は、揚重フックと押圧部との間の距離よりも小さくなっていることが好ましい。
このような巻上機据付設備を用いることにより、揚重フックを中心とした力のモーメントによって、押圧部に対して下方に作用させる力を巻上機の重量よりも小さくすることができる。
【００１８】
本発明は、エレベータの昇降路の頂部付近において固定された巻上機据付台に巻上機を据え付ける巻上機据付設備において、昇降路内に固定され、巻上機据付台から下方に傾斜して延びる滑走レールと、巻上機を固定し、滑走レール上を走行する巻上機運搬台と、巻上機運搬台に牽引ロープを介して接続され、巻上機運搬台を滑走レール上で走行させて巻上機据付台上まで牽引する牽引装置と、を備えたことを特徴とする巻上機据付設備である。
【００１９】
このような巻上機据付設備を用いることにより、巻上機を据え付ける際に巻上機据付台の上方のスペースを作業スペースとして用いる必要がなくなる。このため、巻上機を据え付ける際に必要な作業スペースを小さくすることができ、昇降路内の障害物に干渉されることがない。しかも、牽引装置を用いて巻上機を巻上機据付台上に自動的に移動させることができ、作業員による作業は巻上機の巻上機据付台に対する最終の位置合わせのみとなることから、作業員の負担を低減させることができる。
【発明の効果】
【００２０】
本発明の巻上機据付設備によれば、巻上機を据え付ける際の作業スペースを小さくすることができ、昇降路内の障害物に干渉されることがない。
【発明を実施するための最良の形態】
【００２１】
第１の実施の形態
以下、図面を参照して本発明の第１の実施の形態について説明する。図１乃至図４は、本発明の第１の実施の形態を示す図である。
このうち、図１は、第１の実施の形態による巻上機据付設備の構成を示す側面図であり、図２は、図１の巻上機据付設備を前面（図１の左側）から見た正面図であり、図３は、図１の巻上機据付設備を上方から見た上面図である。また、図４は、図１の巻上機据付設備の持ち上げ機構により巻上機が持ち上げられた状態を示す側面図である。
【００２２】
本発明による巻上機据付設備は、エレベータの昇降路１５の頂部付近において固定された巻上機据付台１０ａに巻上機１０を据え付けるものである。
すなわち、巻上機据付設備は、図１乃至図３に示すように、昇降路１５内に配置され、巻上機据付台１０ａより低いレベルＰの位置において巻上機１０を載置して、この巻上機１０を巻上機据付台１０ａと同じレベルＱの高さとなるよう垂直方向上方に持ち上げる持ち上げ機構２０と、この持ち上げ機構２０上に設置され、持ち上げ機構２０により持ち上げられて巻上機据付台１０ａと同じレベルＱの高さとなった巻上機１０を水平移動させて巻上機据付台１０ａの上に設置する水平移動機構３０とを備えている。
【００２３】
持ち上げ機構２０は、図１に示すように巻上機取付台２３を有している。巻上機取付台２３の一端には丸棒２３ａが設けられており、この丸棒２３ａは、巻上機据付台１０ａの側面に設けられたブラケット１１の凹形状のフック１１ａに回転自在に嵌合されて外れ止め１１ｂによって保持されるようになっている。
また、巻上機取付台２３の他端には、昇降路１５に固定された揚重機１６が係合する揚重フック２３ｂが設けられている。
持ち上げ機構２０は、ブラケット１１および揚重機１６により保持されることによって、昇降路１５内に水平状態に支持される。
【００２４】
前述のように、巻上機据付台１０ａのうち持ち上げ機構２０側の側面にフック１１ａを有するブラケット１１が設けられ、このブラケット１１は、図２に示すように、ボルト１７によって巻上機据付台１０ａに取り付けられている。
【００２５】
また、巻上機据付台１０ａの上面には、図１の紙面に対して直交する軸を有し回動可能な例えば２個の滑車１２ａと、この滑車１２ａを保持する滑車ベース１２が設けられている。滑車ベース１２は、ボルトによってブラケット１１に取り付けられている。
【００２６】
持ち上げ機構２０は、図１に示すように、前述の巻上機取付台２３の他に、巻上機１０を載置してこの巻上機１０を保持する巻上機せり上げ台２１と、巻上機せり上げ台２１の下面に取り付けられ、この巻上機せり上げ台２１を垂直方向上方に持ち上げるジャッキ２２とを備えている。ジャッキ２２は、巻上機取付台２３の上面に保持されている。
【００２７】
巻上機せり上げ台２１には、この巻上機せり上げ台２１の垂直方向の動作を規制するシュー２１ａが取り付けられている。
【００２８】
また、図１に示すように、巻上機取付台２３には、上下方向に延び、巻上機せり上げ台２１のシュー２１ａを上下方向に案内する長穴２３ｃが設けられている。
【００２９】
ジャッキ２２は、図１および図４に示すように巻上機取付台２３に支持された状態で垂直方向に伸縮するものであり、このジャッキ２２が縮んだ状態では巻上機１０がレベルＰの高さに保持され（図１参照）、ジャッキ２２が伸びた状態では巻上機１０がレベルＱの高さに保持される（図４参照）ようになっている。
【００３０】
水平移動機構３０は、図２および図４に示すように、持ち上げ機構２０の巻上機せり上げ台２１の上面にボルトにより取り付けられた一対の巻上機台車３１からなる。
この巻上機台車３１の上面にはボルト１３によって巻上機１０が取り付けられるようになっている。
【００３１】
次に、このような構成からなる本実施の形態の作用について説明する。
【００３２】
巻上機据付設備を用いて巻上機１０を巻上機据付台１０ａに据え付けるにあたり、まず、持ち上げ機構２０の巻上機取付台２３の一端に設けられた丸棒２３ａが、巻上機据付台１０ａの側面に設けられたブラケット１１のフック１１ａに回転自在に嵌合されて外れ止め１１ｂによって保持される。同時に、昇降路１５に固定された揚重機１６によって、巻上機取付台２３の他端に設けられた揚重フック２３ｂが吊り上げられる。
これにより、巻上機取付台２３は、図１に示すように、昇降路１５内で水平状態となるよう保持される。このとき、持ち上げ機構２０のジャッキ２２は、図１に示すように縮んだ状態となっている。
【００３３】
次に、床面に用意された巻上機１０が図示しない吊上機により吊り上げられ、図１および図２に示すように、巻上機せり上げ台２１の上面に設けられた巻上機台車３１に載置される。その後、巻上機１０は、ボルト１３により巻上機台車３１に固定される。
【００３４】
次に、図１に示すような巻上機１０がレベルＰの高さにある状態において、ジャッキ２２が垂直方向上方に伸長し、このジャッキ２２が図４に示すように巻上機１０をレベルＱの高さまで持ち上げる。
この際、巻上機せり上げ台２１のシュー２１ａが巻上機取付台２３の長穴２３ｃによって案内されるので、巻上機１０を確実に垂直方向上方に持ち上げることができる。
【００３５】
その後、図４に示すように、持ち上げ機構２０により持ち上げられて巻上機据付台１０ａと同じレベルＱの高さとなった巻上機１０は、水平移動機構３０の巻上機台車３１によって巻上機据付台１０ａ側（図４において右方）に水平移動される。そして、この巻上機１０は巻上機据付台１０ａ上に設けられた滑車１２ａによってさらに水平移動して巻上機据付台１０ａの真上に据え付けられる。
【００３６】
以上説明したように、本実施の形態によれば、巻上機１０を据え付ける際に巻上機据付台１０ａの上方および後方（図１において右方）のスペースを作業スペースとして用いる必要がなくなる。このため、巻上機１０を据え付ける際に必要な作業スペースを小さくすることができ、昇降路１５内の障害物に干渉されることがない。
【００３７】
また、持ち上げ機構２０の巻上機せり上げ台２１は、一端が巻上機据付台１０ａに回動自在に取り付けられ、他端には昇降路１５に固定された揚重機１６が係合する揚重フック２３ｂが設けられているので、この持ち上げ機構２０を昇降路１５内で容易に水平状態に保つことができる。
【００３８】
また、水平移動機構３０は、持ち上げ機構２０上に設置され、巻上機１０を保持する巻上機台車３１からなるので、巻上機１０が持ち上げ機構２０により持ち上げられて巻上機据付台１０ａと同じレベルＱの高さとなったときに、この巻上機台車３１を用いて確実に巻上機１０を巻上機据付台１０ａ上に水平移動させることができる。
【００３９】
第２の実施の形態
以下、図面を参照して本発明の第２の実施の形態について説明する。図５乃至図７は、本発明の第２の実施の形態を示す図である。
このうち、図５は、第２の実施の形態による巻上機据付設備の構成を示す側面図であり、図６は、図５の巻上機据付設備を上方から見た上面図である。また、図７は、図５の巻上機据付設備の持ち上げ構造体により巻上機が持ち上げられた状態を示す側面図である。
図５乃至図７に示す第２の実施の形態おいて、図１乃至図４に示す第１の実施の形態と同一部分には同一符号を付して詳細な説明を省略する。
【００４０】
第２の実施の形態の巻上機据付設備は、図５に示すように、昇降路１５内に配置され、揚重フック４１を有する持ち上げ構造体４０と、持ち上げ構造体４０の一端４０ａ（図５の右端）に設けられ、巻上機１０を載置固定する巻上機載置部４２と、持ち上げ構造体４０の他端４０ｂ（図５の左端）に設けられ、揚重フック４１に対して巻上機載置部４２と反対側に位置する押圧部４３と、巻上機載置部４２上の巻上機１０を水平移動させる水平移動機構４４とを備えている。
【００４１】
また、持ち上げ構造体４０の揚重フック４１は、昇降路１５に固定された揚重機１６に係合し、これにより、持ち上げ構造体４０は昇降路１５内に支持される。
【００４２】
次に、持ち上げ構造体４０の構造を説明する。
持ち上げ構造体４０は、図５および図６に示すように、一対の鋼管の枠組み部分４０ｐ、４０ｑおよびこれらの枠組み部分４０ｐ、４０ｑを連結する連結部分４０ｒから構成されている。また、揚重フック４１は、一対の枠組み部分４０ｐ、４０ｑにまたがって取り付けられた揚重フック保持材４１ａの中央部に取り付けられており、このため揚重フック４１を揚重機１６により吊り上げることにより、持ち上げ構造体４０を揚重機１６により安定して保持することができる。
【００４３】
巻上機載置部４２は、持ち上げ構造体４０の一端４０ａに設けられた板状部材からなり、持ち上げ構造体４０の一対の枠組み部分４０ｐ、４０ｑを連結するようになっている。
また、押圧部４３は、持ち上げ構造体４０の他端４０ｂに設けられた棒状部材からなり、持ち上げ構造体４０の一対の枠組み部分４０ｐ、４０ｑを連結するようになっている。
【００４４】
図５に示すように、持ち上げ構造体４０の他端４０ｂの押圧部４３の近傍には、錘４６ａを載置する錘載置台４６が設けられている。この錘載置台４６は、持ち上げ構造体４０の枠組み部分４０ｐ、４０ｑを連結するよう設けられた上方が開口した箱状部材よりなっている。
【００４５】
図５に示す持ち上げ構造体４０において、揚重フック４１と巻上機載置部４２の中心との間の距離ｘは、揚重フック４１と押圧部４３との間の距離ｙよりも小さくなっている。好ましくは、距離ｙは距離ｘの５倍以上の大きさとなっている。
【００４６】
水平移動機構４４は、第１の実施の形態における巻上機台車３１と同様の構成の巻上機台車４５を有している。
【００４７】
次に、このような構成からなる本実施の形態の作用について説明する。
【００４８】
巻上機据付設備を用いて巻上機１０を巻上機据付台１０ａに据え付けるにあたり、まず、床面において、図５および図６に示すように、巻上機１０が持ち上げ構造体４０の巻上機載置部４２上に載置固定される。次に、持ち上げ構造体４０の錘載置台４６に錘４６ａを載せる。
【００４９】
ここで、巻上機１０の重量がＭであり、揚重フック４１と錘載置台４６の中心との間の距離がｚであるときに、錘４６ａの重量ｍは、Ｍ×ｘ÷ｚの式により求められる重量よりわずかに小さい重量であることが好ましい。
【００５０】
次に、図５に示すように、昇降路１５に固定された揚重機１６によって、持ち上げ構造体４０の揚重フック４１を吊り上げる。
【００５１】
そして、持ち上げ構造体４０が揚重フック４１において揚重機１６に吊り上げられた際に、押圧部４３に対して下方に力を作用させることにより巻上機載置部４２が上方に移動して、図７に示すように、巻上機載置部４２が巻上機据付台１０ａと同じレベルＱの高さまで達する。
【００５２】
図７に示すように、持ち上げ構造体４０により持ち上げられて巻上機据付台１０ａと同じレベルＱの高さとなった巻上機１０は、水平移動機構４４の巻上機台車４５によって巻上機据付台１０ａ側（図７において右方）に水平移動されて、巻上機据付台１０ａの真上に据え付けられる。
【００５３】
以上説明したように本実施の形態によれば、巻上機１０を据え付ける際に巻上機据付台１０ａの上方および後方のスペースを作業スペースとして用いる必要がなくなる。このため、巻上機１０を据え付ける際に必要な作業スペースを小さくすることができ、昇降路１５内の障害物に干渉されることがない。しかも、巻上機１０の持ち上げ過程における持ち上げ構造体４０の移動姿勢をある程度自由にすることができる。また、揚重機１６を用いての作業が１回だけとなるので作業工程数を低減することができる。
【００５４】
また、持ち上げ構造体４０の他端４０ｂの押圧部４３の近傍に、錘４６ａを載置する錘載置台４６が設けられているので、この錘載置台４６に錘４６ａを載置することにより、巻上機１０の重量が相殺されるので、押圧部４３に対して下方に作用させる力の大きさを低減することができる。
特に、巻上機１０の重量がＭであるときに、錘４６ａの重量ｍを、Ｍ×ｘ÷ｚの式により求められる重量よりわずかに小さい重量とすることにより、押圧部４３に対して下方に作用させる力を非常に小さいものとすることができる。
【００５５】
また、持ち上げ構造体４０において、揚重フック４１と巻上機載置部４２の中心との間の距離ｘが、揚重フック４１と押圧部４３との間の距離ｙよりも小さくなっているので、揚重フック４１を中心とした力のモーメントにより、押圧部４３に対して下方に作用させる力を巻上機１０の重量Ｍよりも小さくすることができる。
特に、距離ｙを距離ｘの５倍以上の大きさとすることにより、押圧部４３に対して下方に作用させる力を巻上機１０の重量Ｍの５分の１の重量よりも小さくすることができる。
【００５６】
第３の実施の形態
以下、図面を参照して本発明の第３の実施の形態について説明する。図８および図９は、本発明の第３の実施の形態を示す図である。
このうち、図８は、第３の実施の形態による巻上機据付設備の構成を示す側面図であり、図９は、図８の巻上機据付設備により巻上機が据え付けられた状態を示す側面図である。
図８および図９に示す第３の実施の形態おいて、図１乃至図４に示す第１の実施の形態と同一部分には同一符号を付して詳細な説明を省略する。
【００５７】
第３の実施の形態の巻上機据付設備は、図８に示すように、巻上機据付台１０ａから下方に傾斜して延びる滑走レール５０と、巻上機１０を固定し、滑走レール５０上を走行する巻上機運搬台５１と、巻上機運搬台５１に牽引ロープ５２ａを介して接続され、巻上機運搬台５１を滑走レール５０上で走行させて巻上機据付台１０ａ上まで牽引する牽引装置５２とを備えている。
【００５８】
また、巻上機据付台１０ａの側面にブラケット１４が設けられており、滑走レール５０はこのブラケット１４に取り付けられている。このため、滑走レール５０は昇降路１５内に固定されることになる。
滑走レール５０は、図８に示すように、巻上機据付台１０ａから延伸して設けられた水平部分５０ａと、水平部分５０ａに接続され、下方に約４５度傾斜して延びる傾斜部分５０ｂと、傾斜部分５０ｂに接続され、垂直方向下方に延びる垂直部分５０ｃとからなっている。また、水平部分５０ａと傾斜部分５０ｂとの接続部および傾斜部分５０ｂと垂直部分５０ｃとの接続部は、各々、滑らかに湾曲している。
【００５９】
巻上機運搬台５１は、ボルトによって巻上機１０を固定することができるようになっている。この巻上機運搬台５１の端部には、牽引ロープ５２ａを掛けるための牽引フック５１ａが設けられている。
【００６０】
牽引装置５２は、図８に示すように、巻上機据付台１０ａの後方（図８において右方）において昇降路１５の奥側の壁面１５ａ下部に取り付けられている。牽引装置５２と巻上機運搬台５１との間には、昇降路１５の壁面１５ａに取り付けられた滑車１５ｂを介して牽引ロープ５２ａが設けられている。
【００６１】
次に、このような構成からなる本実施の形態の作用について説明する。
【００６２】
巻上機据付設備を用いて巻上機１０を巻上機据付台１０ａに据え付けるにあたり、まず、床面に用意された巻上機１０が図示しない吊上機により吊り上げられ、図８に示すように、滑走レール５０の垂直部分５０ｃ上にある巻上機運搬台５１上に載せられてボルトにより固定される。
【００６３】
巻上機運搬台５１が滑走レール５０の垂直部分５０ｃ上に載せられた状態で、牽引装置５２が牽引ロープ５２ａを引くことにより、巻上機運搬台５１は滑走レール５０の傾斜部分５０ｂを経て水平部分５０ａまで自動的に走行する。そして、図９に示すように、この巻上機運搬台５１が巻上機据付台１０ａの真上まで移動して、作業員により巻上機１０が巻上機据付台１０ａに据え付けられる。
【００６４】
以上の説明したように本実施の形態によれば、巻上機１０を据え付ける際に巻上機据付台１０ａの上方のスペースを作業スペースとして用いる必要がなくなる。このため、巻上機１０を据え付ける際に必要な作業スペースを小さくすることができ、昇降路１５内の障害物に干渉されることがない。しかも、牽引装置５２を用いて巻上機１０を巻上機据付台１０ａ上に自動的に移動させることができ、作業員による作業は巻上機１０の巻上機据付台１０ａに対する最終の位置合わせのみとなることから、作業員の負担を低減させることができる。
【図面の簡単な説明】
【００６５】
【図１】第１の実施の形態による巻上機据付設備の構成を示す側面図
【図２】図１の巻上機据付設備を前面から見た正面図
【図３】図１の巻上機据付設備を上方から見た上面図
【図４】図１の巻上機据付設備の持ち上げ機構により巻上機が持ち上げられた状態を示す側面図
【図５】第２の実施の形態による巻上機据付設備の構成を示す側面図
【図６】図５の巻上機据付設備を上方から見た上面図
【図７】図５の巻上機据付設備の持ち上げ構造体により巻上機が持ち上げられた状態を示す側面図
【図８】第３の実施の形態による巻上機据付設備の構成を示す側面図
【図９】図８の巻上機据付設備により巻上機が据え付けられた状態を示す側面図
【図１０】従来の巻上機据付設備の構成の一例を示す側面図
【符号の説明】
【００６６】
１０    巻上機
１０ａ  巻上機据付台
１１    ブラケット
１１ａ  フック
１１ｂ  外れ止め
１２    滑車ベース
１２ａ  滑車
１３    ボルト
１４    ブラケット
１５    昇降路
１５ａ  壁面
１５ｂ  滑車
１６    揚重機
１７    ボルト
２０    持ち上げ機構
２１    巻上機せり上げ台
２１ａ  シュー
２２    ジャッキ
２３    巻上機取付台
２３ａ  丸棒
２３ｂ  揚重フック
２３ｃ  長穴
３０    水平移動機構
３１    巻上機台車
４０    持ち上げ構造体
４０ａ  一端
４０ｂ  他端
４０ｐ、４０ｑ  枠組み部分
４０ｒ  連結部分
４１    揚重フック
４１ａ  揚重フック保持材
４２    巻上機載置部
４３    押圧部
４４    水平移動機構
４５    巻上機台車
４６    錘載置台
４６ａ  錘
５０    滑走レール
５０ａ  水平部分
５０ｂ  傾斜部分
５０ｃ  垂直部分
５１    巻上機運搬台
５１ａ  牽引フック
５２    牽引装置
５２ａ  牽引ロープ
８０    巻上機
８０ａ  巻上機据付台
８１    滑車
８２    牽引装置
８２ａ  牽引ロープ
８３    巻上機運搬台
８４    ガイドレール
８５    昇降路
【図１】
2006027749.tif 000003
【図２】
2006027749.tif 000004
【図３】
2006027749.tif 000005
【図４】
2006027749.tif 000006
【図５】
2006027749.tif 000007
【図６】
2006027749.tif 000008
【図７】
2006027749.tif 000009
【図８】
2006027749.tif 000010
【図９】
2006027749.tif 000011
【図１０】
2006027749.tif 000012